(57)【要約】      （修正有）【課題】保管体の上下左右前後姿勢を保ち物品の展示表示保管搬送を行う装置。【解決手段】保管体１を取り付けて搬送する搬送チェーン７（Ｂ列）と、それに従動し保管体１上下位置方向を保持するとともに保管体１の方向を制御する制御チェーン８（Ｃ列）により搬送体の上下左右方向を保持して搬送を行ない、物品の展示表示保管出し入れ取扱いを良好にする。【選択図】図１
2017051573.tif 000002
【特許請求の範囲】
【請求項１】
本発明は、物品を展示表示保管する棚状、または、箱状、および、容器状体（以後、物品を展示表示保管する棚状、または、箱状、および、容器状体を単に保管体と記す）を搬送する装置につき、保管体を取り付ける搬送ローラーチェーンと、それに従動して保管体の上下左右前後方向を保持する制御ローラーチェーンにより保管体の上下左右前後方向を保持し、物品の展示表示保管出し入れ取扱いを良好にして搬送する装置において、上下搬送の上下端部と横方向左右搬送の左右端部と斜め方向搬送の端部において搬送ローラーチェーンスプロケットと制御ローラーチェーンスプロケットが上下または左右ならびに斜め方向に偏芯し、保管体の上下左右前後方向を保持し、物品展示表示保管と搬送を兼ね備えた装置に関する。
【発明の詳細な説明】
【技術分野】
【０００１】  物品展示表示保管（以後、物品展示表示保管を物品展示と、または、物品の展示と記す）機能と物品の搬送機能を兼ね備えた装置に関する。それを目的とする本装置と技術について、物品を展示する棚状、または、箱状、および、容器状体（以後、物品を展示する棚状、または、箱状、および、容器状体を単に保管体と記す）を搬送する装置において、保管体を取り付ける搬送ローラーチェーンと、それに従動して保管体の上下左右前後方向を保持する制御ローラーチェーンにより保管体の上下左右前後方向を保持し、物品の展示取り出し入れ取扱いを良好にして搬送する装置において、上下搬送の上下端部と横方向左右搬送の左右端部、または、斜め方向搬送の両端部において搬送ローラーチェーンスプロケットと制御ローラーチェーンスプロケットが上下または左右ならびに斜め方向に偏芯し、保管体の上下左右前後方向を保持し物品、保管体の搬送を兼ね備えた装置である。そのさい、搬送ローラーチェーンと制御ローラーチェーンに代わりコンベアーチェーン、または特殊チェーン、および歯付きベルト、並びにワイヤロープ等の可撓性材を用いることができる。また、制御ローラーチェーンスプロケットに代わりローラーチェーンガイドレールをもちいることができる。以後、ローラーチェーンまたは、コンベアーチェーン、特殊チェーン、および歯付きベルト、並びにワイヤロープ等の可撓性材を総称してチェーンと記す。なお、以後、搬送ローラーチェーンを搬送チェーンと記し、制御ローラーチェーンを制御チェーンと記し、搬送ローラーチェーンスプロケットを搬送スプロケット、制御ローラーチェーンスプロケットを制御スプロケットと記す。
【背景技術】
【０００２】  従来、通常の搬送運行コンベアー等は物品搬送運行を主とし、物品展示表示保管を行う装置を別に設けている。展示表示保管物品を人手で運ぶため収納管理範囲が狭まり収納展示表示保管量が限られる。なお、各室の上部空間の手が届かない場の利用を欠き、それを補うため脚立や梯子を用いている。物品製造場において、係員の手の届く範囲に部品や金型、治工具を置き、置き場が限られ、また、日日使用する製造物品用部品の先入れ後出しを招いている。商店における商品展示は平面的展示表示保管を主としている。自動倉庫形態の場合、搬送装置と物品保管装置は多くの場合、別である。
【発明の概要】
【発明が解決しようとする課題】
【０００３】  本装置は物品搬送と物品展示表示保管と物品の出し入れ取扱いの利便性を考慮した装置である。業務の合理化に役立ち、連続性を良好にする。一例として、官公署、事務所における物品棚等を、例えば上下方向に搬送する構造として利用者の手が届かない範囲、すなわち、上下部に展示表示保管し必要に応じ必要物品等を手元に搬送して使用する。物品製造場においても同様であり、また、日日使用する製造物品用部品を収納した保管体を、例えば上下方向に搬送する構造のとき保管体を順次上部に搬送、上部で折り返してきた搬送体から製造物品用部品を取り出して使用できるため製造物品用部品の先入れ後出しをなくす。物品製造場における治工具についても同様にできる。商店において、商品を売り場の上部におよぶ展示表示を可能にする。
【課題を解決するための手段】
【０００４】  本装置は、ロープウエイヤ、トロリーコンベアーのごとき、乗客体、または、物品等を吊り下げた状態で搬送するのとは異なり、保管体を重ねたごとき状態である。例えば上下動装置において右側で上に移動、上部で左側に移行するさい搬送体の上下左右前後方向を保持する制御チェーンにより保管体が上下左右前後方向を保って移行、右側で上下に重なったごとき状態で下方に移行、下部で、制御チェーンにより搬送体が上下左右前後方向を保って左側に移行する。そのさい、回転部において保管体の重なり状態を解き、各保管体の間隔を開いて移行させる。
【発明の効果】
【０００５】  本装置利用による効果は多岐にわたる。その代表と考えられる事項を以下に記す。その１、商店における商品の展示表示の拡大、従来の平面的展示表示に替え、立体的に表示展示により商品展示量を増し、顧客の注目を大きくする。なお、商品を手元に寄せて容易に手にすることができる。その２、博物館、美術館において、絵画を含め展示品を上下に展示表示、上下に移動するゆえ、見学者の重なりよる観賞不足を防ぎ遠近で観賞することができる。その３、物品製造場における日日の部品保管、治工具保管、目視選定を容易にする。その４、要介護の方々が必要とする物品を上下動保管体に置き、要介護の方々が目視で欲する物を手元に寄せ、手にすることができる。以上、多岐にわたる。
【図面の簡単な説明】
【０００６】
【図１】本装置の全体図。
【図２】図１の上部スプロケット構造の上面視図である
【図３】図２のＡ部図である。
【図４】本装置利用の一例、商店における商品展示表示と工場製造気な場における図である。
【発明実施するための最良の形態】
以下、本装置の実施の形態を図１から図４に示して説明する。このさい、上下方向搬送左右方向搬送、円形状、または、斜め方向搬送構造を代表して上下方向搬送構造において記す。搬送スプロケットの右側にｘｃｍ偏芯して制御スプロケットを配する構造を示す。そのさい、各チェーンのガイドレール、およびピンのガイドレール図は省略する。なお、各スプロケット部構造は上下同構造であるゆえ上部構造を主に記す。
【実施例】
【０００７】図１において、保管体１に取り付けるピン２とバー３、および、ピン４は一体組み立て構造である。ピン２を通すチェーンリンクプレート５の間、およびピン４を通すチェーンリンクプレート６の間は摺動回転可能である。Ｂ列搬送チェーン７は、図において上部搬送スプロケット９にかかり、下部搬送スプロケット１３に掛かる。Ｃ列制御チェーンは、図において上部制御スプロケット１０にかかり下部制御スプロケット１４に掛かる。スプロケット９と１０、および、１３と１４はＸｃｍ偏芯し、Ｂ列搬送チェーンとＣ列制御チェーンもＸｃｍ偏芯している。上部搬送スプロケット９軸に設けた歯付きベルト車１５と制御チエーン駆動スプロケット１８と同軸に設けた歯付きベルト車１７は歯付きベルト１６により同一回転になり、したがって上部搬送スプロケット９と制御チエーン駆動スプロケット１８は同一回転である。
図２の上部手前方側スプロケット構造の上面視図において搬送スプロケット９は軸１１に嵌り、軸１１に駆動電動機１２を接続する。図２のＡ部を示す図においてフレーム２３に制御スプロケットベース２４を固定取り付け、軸１１はフレームと制御スプロケットベースを貫通する構造である。制御スプロケットベース２４の外周は溝形状をなし、この溝に制御スプロケット１０を嵌める。２２のベアリングは軸１１用であり、２５のベアリングは制御スプロケット１０用である。Ａ部構造により搬送スプロケット９と制御スプロケット１０の偏芯距離Ｘｃｍを小にすることを可能にする。２１は制御チェーン駆動用スプロケットであり、２７の駆動電動機により回転する。このさい、１５と１７の歯付きベルト車に代わりローラーチェーンスプロケットを用い、歯付きベルト１６に代わりローラーチェーンを用いることができる。
【産業上の利用可能性】
【０００９】  本装置を利用できるところは多岐にわたる。その代表例の１、商店における商品の展示表示の拡大、従来、平面的展示表示に替え、立体的に表示展示により商品展示量を増し、顧客の注目を大きくする。２、物品製造場における日日の部品保管、治工具保管、これらにおいて各保管場、製造場の有効利用、目視選定を容易にする。３、工場、事務所、住宅において、室内上部空間有効利用。以上、多岐にわたる。
【符号の説明】
【００１０】１    保管体
２    ヒン（１）
３    バー
４    ヒン（２）
５    Ｂ列チェーンリンクプレート
６    Ｃ列チェーンリンクプレート
７    Ｂ列チェーン
８    Ｃ列チェーン
９    上部搬送スプロケット
１０  上部制御スロケット
１１  上部搬送スプロケット駆動軸
１２  上部搬送スプロケット駆動電動機
１３  下部搬送スプロケット
１４  下部制御スロケット
１５  上部搬送スプロケット軸取り付け歯付きベルト車
１６  制御スプロケット駆動用歯付きベルト
１７  制御スプロケット駆動用歯付きベルト車
１８  制御チェーン駆動スプロケット
２１  フレーム
２２  搬送スプロケット駆動軸用ベアリング
２３  フレーム
２４  制御スプロケットベース
２５  制御スプロケット用ベアリング
２８  展示表示保管物品
２９  搬送装置ケース
【図１】
2017051573.tif 000003
【図２】
2017051573.tif 000004
【図３】
2017051573.tif 000005
【図４】
2017051573.tif 000006